(57)【特許請求の範囲】
【請求項１】
ターンテーブルに載せられかつレコード溝の有効幅の中心部分までの半径Ｒ０が予め決まっているレコード板をオペレータの指操作により直接正回転および逆回転させて音を出力させるスクラッチパフォーマンス操作に適合するディスクジョッキー用のレコードプレーヤにおいて、
回転軸芯Ｃを中心にして回転駆動されるターンテーブルと、
ターンテーブルの外側に位置する回転軸芯Ｐを中心にして水平方向に回動可能に支持され、平面視でこの回転軸芯Ｐとレコード板のレコード溝に追従する針とを結ぶ直線上に位置するアーム軸と、
アーム軸の回動端に保持され、レコード板のレコード溝に追従する針によって音信号を検出するカートリッジと、
アーム軸の回転中心Ｐよりも反カートリッジ側に延長された延長部に取付けられ上下方向の回転軸芯Ｐｖより下方に位置する針圧調整用の重りと、
とを備え、
アーム軸の回転軸芯Ｐを、針がレコード溝の有効幅ａ１ａ２の中間付近に位置する時にターンテーブルの回転軸芯Ｃと針とを通る直線Ｂに直交しかつ針を通る直線上に位置させると共に、アーム軸の上下方向の回動を可能にする回転軸芯Ｐｖをレコード板の上面より上方に位置させかつアーム軸の回転軸芯Ｐよりもカートリッジ側に偏位させたことを特徴とするレコードプレーヤ。
【請求項２】
請求項１において、レコード板とターンテーブルの間に介在され、少なくとも一方の面の摩擦係数が小さくレコード板の逆回転を容易にする滑りシートを有するレコードプレーヤ。
【請求項３】
請求項１または２において、アーム軸の回転軸芯Ｐは、ターンテーブルの回転軸芯Ｃと針とを通る直線Ｂに直交しかつレコード溝の有効幅ａ１ａ２の中間点Ｑを通る直線上に位置するレコードプレーヤ。
【請求項４】
請求項１または２において、アーム軸の回転軸芯Ｐは、ターンテーブルの回転軸芯Ｃと針とを通る直線Ｂに直交しかつレコード溝の有効幅ａ１ａ２を中間点Ｑと共に半径方向に略四等分する２つの点ａ３およびａ４の間を通る直線上に位置するレコードプレーヤ。
【請求項５】
アーム軸の回転軸芯Ｐは、ターンテーブルの回転軸芯Ｃからレコード溝の有効幅ａ１ａ２間の略中間点Ｑまでの距離Ｒ０を半径とする第１仮想円Ｗと、ターンテーブルおよびアーム軸の各回転軸芯ＣおよびＰの距離Ｄ０を直径とする第２仮想円Ｄとの交差点Ｑを通り、かつこの交差点Ｑとターンテーブルの回転軸芯Ｃとを通る直線Ｂに直交する直線上に位置する請求項１のレコードプレーヤ。
【請求項６】
ターンテーブルの回転軸芯Ｃと針とを通る直線Ｂ上のレコード溝の始点Ｒおよび終点Ｓと、アーム軸の回転軸芯Ｐとが回転軸芯Ｐを頂点とする二等辺三角形を形成する請求項１〜３，５のいずれかのレコードプレーヤ。
【請求項７】
請求項１〜６のいずれかにおいて、アーム軸の回転軸芯Ｐの位置を針から充分離れた位置に配置してなるレコードプレーヤ。
【発明の詳細な説明】
【０００１】
【発明の属する技術分野】
本発明は、例えばディスクジョッキー（以下単にＤＪと略す）に用いるレコードプレーヤに関し、特にＤＪの演奏形態の一種であるオペレータの指操作によりレコード板を直接正回転および逆回転させて音を出力させるいわゆるスクラッチパフォーマンス操作に適合するレコードプレーヤに関する。
【０００２】
【従来の技術】
図１は、従来周知のレコードプレーヤを用いてスクッラチパフォーマンスの演奏操作状態を示す操作図である。従来よりレコードプレーヤ１は、記録されているレコード板の情報再生の手段として使用されて来た。しかし近年では、ＤＪの演奏形態として、直接人為的にレコード板３に指先で正逆回転の操作を施すことによって、カートリッジ９を介して人工的な新たな音情報を創出するスクラッチパフォーマンスが行われている。この場合にはレコードプレーヤの音情報は、付属する他の各種音発生源からの音情報と混合され、新規な音源の世界を創造する手段として用いられる。すなわちレコードプレーヤ１があたかも単一の演奏楽器の如く使用される。
【０００３】
図２（Ａ）および（Ｂ）は、従来のＨｉＦｉオーディオ用のレコードプレーヤ１をこのようなスクラッチパフォーマンスとして使用する際の動作説明図である。同図（Ａ）はターンテーブル２の上に載せたレコード板３の正回転操作時を、また同図（Ｂ）は逆回転操作時を示す。これらの図ではそれぞれ各カートリッジ９の針先１０が受ける針圧の方向をベクトルで示している。またトーンアーム５はアーム軸６とカートリッジ９とで形成される。
【０００４】
現在ＤＪに幅広く利用されているレコードプレーヤ１は、元々ＨｉＦｉオーディオ用のものとして開発されているため、同図（Ａ）の正回転で使用した時に音質が最も良くなるように設計されている。そのため、トーンアーム５のアーム軸６を、枢支部８に設けた垂直な回転軸芯（支点）Ｐで水平方向に回動可能に保持すると共に、アーム軸６をＳ字型に湾曲させている。すなわち、このアーム軸６の軸線方向６′とカートリッジ９の軸方向９′との間にオフセット角度α（一般的には２１．４°）を設けてカートリッジ９を内側方向に曲げ、トラッキンクエラー（追尾誤差）の補償を行う。またアーム軸６を支点Ｐ側に延長し、ここに針圧調整器７を設けて最適な針圧となる状態で再生するようにしている。
【０００５】
【発明が解決しようとする課題】
しかしＤＪのスクラッチパフォーマンスの場合は、同図（Ａ）および（Ｂ）のようにレコードの回転数も回転方向も任意に変化する。その際にカートリッジ９の針先１０が受ける力は、正回転時には同図（Ａ）に示すように接線方向の力Ｆとなり、逆回転時には同図（Ｂ）に示すように接線方向の力Ｆ′となる。各力Ｆ、Ｆ′の大きさは、それぞれ支点Ｐと針先１０とを結ぶ直線であるＸ軸方向の分力Ｆ２、Ｆ′２と、これに垂直なＹ軸方向の分力Ｆ１、Ｆ′１に分けることができる。
【０００６】
正回転時には図２（Ａ）に示すように、針先１０にはレコード板３の内径方向の針圧Ｆ１が追尾中に常時印加される。また逆回転時には全く逆方向である外径側方向の針圧Ｆ′１が印加される。従ってスクラッチパフォーマンス時にレコード板３が正・逆転されると、内径側および外径側方向の力Ｆ１およびＦ′１が繰り返し針先１０に加わる。この力Ｆ１、Ｆ′１が大きくなって或る摩擦力を越えてレコード溝から飛び出す程度になると、溝から針先１０が飛び出しいわゆる「針飛び現象」が発生する。この時には出力音声に乱れが発生し、聴衆に不快感を与える事になる。
【０００７】
このためＤＪによる演奏希望者が近年増大する一方であるにも拘わらず、この針飛びを防ぎながら、レコード板３を高速度で正回転と逆回転との間で変化させるには相当の熟練を要する演奏技術となる。従って多くの演奏希望者があるにもかかわらず演奏者数が増えないという問題があった。当然このことは、レコードプレーヤ１と共に用いられる音声付属機器類の普及を制限する原因ともなっていた。
【０００８】
【発明の目的】
本発明は、このような事情に鑑みなされたものであり、スクラッチパフォーマンス操作によってレコード板を正回転および逆回転に回転方向を急に変化させた際に、カートリッジの針先が受ける内側および外側方向の分力を可能な限り抑制することにより、針飛び現象を阻止し、しかも熟練者に限定されることなく未熟な演奏者にも充分使いこなすことのできるレコードプレーヤを提供することである。
【０００９】
【課題を解決するための手段】
本発明によればこの課題は、ターンテーブルに載せられかつレコード溝の有効幅の中心部分までの半径Ｒ０が予め決まっているレコード板をオペレータの指操作により直接正回転および逆回転させて音を出力させるスクラッチパフォーマンス操作に適合するディスクジョッキー用のレコードプレーヤにおいて、
回転軸芯Ｃを中心にして回転駆動されるターンテーブルと、
ターンテーブルの外側に位置する回転軸芯Ｐを中心にして水平方向に回動可能に支持され、平面視でこの回転軸芯Ｐとレコード板のレコード溝に追従する針とを結ぶ直線上に位置するアーム軸と、
アーム軸の回動端に保持され、レコード板のレコード溝に追従する針によって音信号を検出するカートリッジと、
アーム軸の回転中心Ｐよりも反カートリッジ側に延長された延長部に取付けられ上下方向の回転軸芯Ｐｖより下方に位置する針圧調整用の重りと、
とを備え、
アーム軸の回転軸芯Ｐを、針がレコード溝の有効幅ａ１ａ２の中間付近に位置する時にターンテーブルの回転軸芯Ｃと針とを通る直線Ｂに直交しかつ針を通る直線上に位置させると共に、アーム軸の上下方向の回動を可能にする回転軸芯Ｐｖをレコード板の上面より上方に位置させかつアーム軸の回転軸芯Ｐよりもカートリッジ側に偏位させたことを特徴とするレコードプレーヤ、により達成される。
【００１０】
本発明は、レコード板を指操作によって正逆回転させた時の針飛びを抑制するため、カートリッジの針先が受ける内側方向および外側方向の分力を可能な限り抑制する様にターンテーブル上のレコード溝とアーム軸の支点Ｐの位置関係を規定したものである。従って原理的には、最も良好な実施形態は、ターンテーブルの回転軸芯Ｃから針を通って放射方向にのびる直線Ｂ上におけるレコード溝の始点Ｒおよび終点Ｓと、トーンアームの回転中心（回転軸芯）即ち支点Ｐとの三者がＰ点を頂点とする二等辺三角形にすれば良い。また直線Ｂ上のレコード溝の中間点Ｑと支点Ｐとを結ぶ直線ＰＱが、中間点Ｑを通り直線Ｂに直交する直線上またはこの直線に近い平行線上に位置すれば、支点Ｐはターンテーブルに隣接してもまた離隔して配置しても良い。
【００１１】
レコード板とターンテーブルとの間に滑りシートを介在させ、ターンテーブルを正方向に一定回転速度で回転させつつレコード板だけ指先で逆転させることができる。この時にはレコード板を滑りシート上で滑らせたりレコード板と滑りシートをターンテーブル上で滑らせることになる。なおレコード板とターンテーブルとを共に指先で逆転させるものであってもよい。
【００１２】
アーム軸の回転軸芯Ｐは、ターンテーブルの回転軸芯Ｃと針とを通る直線Ｂに直交しかつレコード溝の有効幅ａ１ａ２の中間点Ｑと針とを通る直線上に位置させることができる。またこの直線Ｂに直交しかつ有効幅ａ１ａ２をこの中間点Ｑと共に半径方向に略四等分する点ａ３、ａ４の間を通る直線上に位置させれば、十分な効果が得られる。
【００１３】
アーム軸の回転軸芯Ｐは次のように決めてもよい。すなわちターンテーブルの回転軸芯Ｃから有効幅ａ１ａ２の中間点Ｑまでの距離Ｒ０を半径とする第１仮想円Ｗと、ターンテーブルおよびアーム軸の各回転軸芯Ｃ、Ｐ間の距離Ｄ０を直径とする第２仮想円Ｄとの交差点Ｑを通り、かつこの交差点Ｑとターンテーブルの回転軸芯Ｃとを通る直線Ｂに直交する直線上にこの回転軸芯Ｐを決めるものである。
【００１４】
最も好ましいのは直線Ｂ上のレコード溝の始点Ｒおよび終点Ｓと、回転軸芯Ｐとがこの回転軸芯Ｐを頂点とする二等辺三角形となるようにするものである。この回転軸芯Ｐは交差点Ｑからできるだけ離すのがよい。すなわちアーム軸を十分に長くする。このようにすればレコード溝の始点Ｒおよび終点Ｓにおけるトラッキングエラーを小さくすることができる。
【００１５】
この発明では、アーム軸は回転軸芯Ｐ側に延長し、この延長部に針圧調整装置を配設したので、針圧調整するのに都合がよい。またアーム軸の上下方向の回転を可能にする水平な回転軸芯Ｐｖは、レコード板の上面より高い位置に設定したので、後記するようにレコード板の逆回転時における針圧を正回転時よりも増大させることができ、逆転時の針飛びを防ぐ効果が大きくなる。なおこの逆転時の針圧は針先からこの回転軸芯Ｐｖまでの距離が小さいほど、換言すればアーム軸の長さが短いほど増加する。一方前記した水平方向の回転を可能にする回転軸芯Ｐはターンテーブルからできるだけ遠くするのが望ましい。従ってこの発明ではこれらの要求を満たすために、上下方向の回動を可能にする水平な回転軸芯Ｐｖを水平方向の回動を可能にする垂直な回転軸芯Ｐよりもカートリッジ側に偏位させたものである。
【００１６】
またこの発明では針圧調整装置を、重心が上下方向の回転軸芯Ｐｖよりも下方に位置する重りとした。このために回転軸芯Ｐｖの両側に位置する針先と重り（の重心）がこの回転軸芯Ｐｖより共に下方に位置することになるから天秤状（やじろべえ状）にバランスがとれることになる。従って針先に加わるサイドフォースが重りを左右方向（アーム軸に直交する方向）に振動させるように作用するが、重りの重量によりこの振動を抑制することができる。この結果正・逆転の変化時に針先に発生するサイドフォースを抑制し、針飛びを防ぐ効果が一層大きくなる。
【００１７】
【実施態様】
図３は、本発明のレコードプレーヤ１のターンテーブル２およびトーンアーム５の配置と動作状況を示す説明図である。図３Ａは、トーンアーム５の針１０がレコード溝３′の始点Ｒにある状態を、図３Ｂはトーンアーム５の針１０がレコード溝の実質的な中間点Ｑにある状態を、さらに図３Ｃはトーンアーム５の針１０がレコード溝の終点Ｓにある状態を示す。これらの図にはターンテーブル２が正回転（実線の矢印で示す）時に針先１０に作用する力を実線で、また逆回転（点線の矢印で示す）時に針先１０に作用する力を破線でそれぞれベクトル表示する。
【００１８】
本実施態様のレコードプレーヤ１においては、ターンテーブル２、トーンアーム５、針圧調節器７、カートリッジ９、針先１０等の各機能はＨｉＦｉオーディオ用のプレーヤのもつ各機能とほぼ同じであるが、構造において特徴的な相違点が存在する。
【００１９】
ＨｉＦｉオーディオ用のものに比較して、本発明のレコードプレーヤ１が持つ第一の相違点は、図２および図３から明白なとおり、トーンアーム５の構造と、トーンアーム５およびターンテーブル２の相対位置関係にある。第二の相違点は、ターンテーブル２とレコード板３との間に、摩擦係数の小さな滑りシート又は滑りマット２′が配置される事である。従来は両者間にスリップを生じさせない摩擦係数の大きいゴム材による固定マットが敷かれたのに対し、ＤＪ用のレコードプレーヤ１では積極的に指操作によりレコード板３を正逆回転させるためである。
【００２０】
本発明は、前者のトーンアーム５の構造とターンテーブル１との相対位置関係を規定するものである。即ち図３の各図に示すトーンアーム５は、枢支部８に設けた支点（回転軸芯）Ｐを中心にしてアーム軸６が水平方向に回転可能に枢支されている。このアーム軸６はレコード溝３′上にまで延伸しその一端（回動端）にはカートリッジ９が固定されている。またこのアーム軸６の他端側は支点Ｐより延出し、この延出部分にはカートリジ９の針先１０の針圧を調整するための重りからなる針圧調整器７が設けられている。
【００２１】
ここにアーム軸６は従来のようにＳ字型に曲げられることがなく直線状である。しかも図２の場合と相違して、平面視でアーム軸６の軸線方向６′とカートリッジ９のもつ軸方向９′との間のオフセット角αが零となっている。従ってカートリッジ９の軸方向９′はアーム軸６の軸線方向６′と一致して、平面視でトーンアーム５は一直線状のストレート型の構造となっている。またこのアーム軸６はパイプ状で十分に剛性が大きい。例えばアルミニュームパイプと真ちゅうパイプの２重構造とすることにより、不用な振動の伝達を抑制し、耐ハウリング性能を向上させることができる。
【００２２】
レコード板３の正回転時には、図３（Ａ）に示すように針先１０にはレコード溝３′の始点Ｒの位置で力（摩擦力）ｆＲがＲ点での接線方向に加わる。この接線方向は、アーム軸６の軸線方向すなわちＸ軸方向との間に角度差θ１を持つ。この力ｆＲにより、Ｘ軸方向の分力ｆＲ２と、これに垂直な方向すなわちＹ軸方向の内側分力ｆＲ１とが発生する。図３（Ｂ）に示すように、針先１０がレコード溝３′の有効幅の実質的な中間点Ｑに位置する時には、力ｆＱが発生する。アーム軸６の支点Ｐは溝３′の接線方向の直線上に配置されているため、アーム軸６に垂直なＹ軸方向の分力は零となっている。更に図３（Ｃ）に示すように針先１０が溝３′の終点Ｓに位置する時には、力ｆＳは接線方向に加わる。アーム軸６のＸ軸方向との間に負の角度差θ２を生じ、Ｘ軸方向の分力ｆＳ２とこれに垂直なＹ軸方向の外側分力ｆＳ１が発生する。
【００２３】
またレコード板３が逆回転する時は、図３（Ａ）、３（Ｂ）、３（Ｃ）の各図に示す通り、カートリッジ９の針先１０に加わる力の方向および大きさとその各分力は、上述した正回転時の場合と全く逆になり、各図に破線で示すベクトルとなる。この各図から明白な通り、アーム軸６に対して垂直なＹ軸方向の分力は、正回転時では実線で示すｆＲ１およびｆＳ１となり、逆回転時では破線で示すｆ′Ｒ１およびｆ′Ｓ１となり、これらは互いに逆の方向に現れる。しかし、これ等の各分力の大きさは、従来のＨｉＦｉオーディオ用のトーンアーム（図２参照）を用いる場合に比較すると、その大きさはいずれも半減ないしそれ以下になる。
【００２４】
即ち本発明のレコードプレーヤ１では、レコード溝３′の接線方向とアーム軸６の軸線方向との角度差を従来のθ０に比べて著しく小さいθ１ないしθ２に抑制することが可能となる。特にレコード溝３′の実質的な有効幅の中心位置Ｑの周囲では、この角度差が略零となる。このため正回転時と逆回転時にトーンアーム５自体に作用する内側および外側方向の分力が大きくなるのをほぼ完全に防止することができる。すなわち各ベクトル力ｆＲ１、ｆ′Ｒ１、ｆ′Ｓ１、ｆ′Ｓ１はいずれも十分に小さくなる。このため各ベクトル力は、図２に示す従来のトーンアーム５のアーム軸６が受ける内外方向のベクトルＦ１、Ｆ′１のように大きな量になることはない。このため針飛び現象をきわめて有効に阻止できることが可能になる。
【００２５】
図４は、トーンアーム５とターンテーブル２との位置関係を更に詳略に説明するための拡大図である。本発明では、ターンテーブル２の回転軸芯Ｃと針１０を通る放射方向のレコード中心線Ｂ上に、レコード溝３′の始点Ｒ、中間点Ｑ、終点Ｓを定める。またこの中間点Ｑに針１０を置いた状態で、この中間点Ｑにおいてレコード溝３′の接線方向とアーム軸６の軸線方向とが平面視で互いに一致するようにトーンアーム５の針１０を位置決めしている。従って、レコード中心線Ｂとこのアーム軸６の軸線方向とが中間点Ｑにおいて直交する。このことは中間点Ｑすなわち針１０は、ターンテーブル２およびトーンアーム５の各回転軸芯ＣおよびＰ間の距離Ｄ０を直径とする仮想円（第２仮想円）Ｄの周上にあることを意味する。
【００２６】
即ち図４に示すように、ターンテーブル２に載せたレコード板３はそのレコード溝３′の有効幅Ｌ０が予め決まっていて、中間点Ｑは、レコード溝３′の有効幅Ｌ０の距離ａ１ａ２の半分（Ｌ１＝Ｌ２＝Ｌ０／２）の中間点を意味するので、ターンテーブル２の回転軸芯Ｃからこの有効幅の中心部分までの半径Ｒ０は一義的に定まる量である。ターンテーブル２の回転軸芯Ｃからの距離Ｒ０を半径とする第１仮想円Ｗと、上述した各回転軸芯ＣおよびＰ間の距離Ｄ０を直径とする第２仮想円Ｄとの交差点Ｑは中間点Ｑとなる。従ってトーンアーム５の枢支部８の支点Ｐに結ぶ直線ＰＱ上ないしその延長線上にトーンアーム５のアーム軸６が配置されれば、レコード溝３′の中心部近傍では、レコード溝３′の接線方向とアーム軸６の軸線方向との角度差を常に略零に抑えることが可能になる。この事は図３（Ｂ）に示すとおり、中間点Ｑおよびその周囲では、アーム軸６の先端部が受ける内外方向の分力もほぼ零になることを意味する。
【００２７】
なおレコード溝３′の始点Ｒおよび終点Ｓでは、それぞれトーンアーム５のアーム軸６の先端は互いに逆方向の僅かな分力を受ける。この分力の大きさを更に小さくするには、図５に示す通り、トーンアーム５の仮想支点Ｐの位置を溝の中間点Ｑの位置から十分に離隔すればよい。すなわち支点Ｐの位置を、Ｐ１＜Ｐ２＜Ｐ３のように遠く配置すれば良い。
【００２８】
本実施態様のレコードプレーヤ１では、ターンテーブル２に対するトーンアーム５の相対位置を選定する際に、レコード溝３′の中間点Ｑでの接線方向とトーンアーム５の軸線方向との角度差を零とした例を開示した。しかし本出願人は、レコード溝３′の中間点Ｑから内側および外側に偏心させて上述した直線ＰＱを平行移動させた位置にトーンアーム５を配置した場合の針飛び現象の発生状況を調べた。
【００２９】
その結果、図４に示す通り、回転軸芯Ｃと針先１０とを通るレコード中心線Ｂとレコード溝３′の有効幅ａ１ａ２間を放射方向に略四等分して得たレコード中心線Ｂ上の点ａ３からａ４までの中央有効幅ａ３ａ４の範囲の領域内で直交する直線上にアーム軸６の回転軸芯Ｐを位置させることにより、相当の割合で針飛びの現象を抑制できることの確認が得られた。即ち、点ａ３を通る平行線Ｐ′Ｑ′から点ａ４を通る平行線Ｐ″Ｑ″の領域で、トーンアーム５の枢支部８を移動させて支点Ｐの位置をレコード中心線Ｂに平行な平行線Ｂ′Ｂ′上で移動して実験を行った。その結果、この支点ＰがＰ′からＰ″までの領域内にあれば、ストレート型のアーム軸６を上述した直線ＰＱと平行に設置することにより、スクラッチパフォーマンスの操作に対し相当有効に針飛びの現象を阻止できることが判明した。
【００３０】
なお、トーンアーム５のアーム軸６の長さについては、望ましくは図５に示す通り直線ＰＱ線上またはその延長線上にあれば十分に長くして支点Ｐを遠くしても良い。また針１０の位置についても逆にＱ側の延長線上に多少偏位させても良い。例えば、図３の実施態様では、図４の交差点Ｑと支点Ｐを結ぶ直線ＰＱ上の交差点Ｑ側の延長上にカートリッジ９の針先１０を多少偏位させた例で開示している。従って、「特許請求の範囲」に記述される技術思想に基づき当業者が容易に創作し得る範囲において任意に変更しても本権利範囲に包含されるものである。
【００３１】
図６は実施態様をさらに詳細に説明する図、図７は対比例を説明する図である。前記図３〜５ではアーム軸６の水平方向の回動を可能にする垂直な回転軸芯Ｐの位置について説明した。しかし実際のトーンアーム５は上下方向にも回動する。この実施態様では、この上下方向の回動を可能にする水平な回転軸芯Ｐｖの位置を適切に設定することにより、前記図３〜５に示した装置の効果を一層大きくすることを可能にする。そのためにまず回転軸芯Ｐｖの高さを針先１０よりも高く設定したものである。
【００３２】
図６で針先１０に加わる荷重すなわちレコード板３の静止時にレコード板３に加わる荷重をｍｇとする。アーム軸６の枢支部８にはアーム軸６の水平方向の回動を可能にする回転軸芯Ｐと、上下方向の回動を可能にする回転軸芯Ｐｖとが設けられている。
【００３３】
この実施態様では回転軸芯ＰｖはＰよりもカートリッジ９側に偏位している。また回転軸芯Ｐｖは針先１０の高さ、換言すればレコード板３の上面の高さよりもｌ１だけ上方に偏位している。
【００３４】
この場合にレコード板３が正・逆転すれば、針先１０に水平方向に正の摩擦力ＦＦ、負の摩擦力ＦＲが作用する。これらは同じ大きさで向きが逆である。これらの力ＦＦ、ＦＲの方向は回転軸芯Ｐｖに対してｌ１だけ偏位しているから、アーム軸６に回転軸芯Ｐｖを中心とする回転力すなわちトルクＴＦ、ＴＲを発生させる。ここにＴＦ＝ＦＦ・ｌ１、ＴＲ＝ＦＲ・ｌ１である。
【００３５】
このトルクＴＦ、ＴＲは針先１０に上下方向の力ＦＦ・ｌ１／Ｌ、ＦＲ・ｌ１／Ｌを加える。ここにＬは針先１０から回転軸芯Ｐｖまでの距離である。このため針先１０には正回転時にｆＦ＝ｍｇ−ＦＦ・ｌ１／Ｌの力が下向きに加わる。同様に逆転時には針先１０にはｆＲ＝ｍｇ＋ＦＲ・ｌ１／Ｌの力が下向きに加わる。
【００３６】
通常は正転時に針圧ｆＦが適正値となるように針圧調節器（重り）が設定されるから、逆転時の針圧ｆＲは正転時の針圧ｆＦよりも（ＦＲ＋ＦＦ）ｌ１／Ｌ大きくなる。このため逆転時の針飛びが防止されることになり、正転時には設定された適正な針圧ｆＦとなる。また回転軸芯Ｐｖを針先１０と同じ高さに設定すれば、トルクＴＦ、ＴＲが共にゼロとなるから、ｆＦ＝ｍｇ、ｆＲ＝ｍｇとなり、正逆転時の針圧を同じにすることができ、一層好ましい。
【００３７】
ここでこの実施態様の効果を図７に示す対比例と比較する。この図７に示すものでは、アーム軸６の上下方向の回動を可能にするための回転軸芯Ｐｖを針先１０よりもｌ２だけ下方に位置させた。この場合には正逆転時のトルクＴＦ、ＴＲの向きが図６に示したものに対して逆向きになる。従って針圧は正転時にｆＦ＝ｍｇ＋ＦＦ・ｌ２／Ｌ、逆転時にｆＲ＝ｍｇ−ＦＲ・ｌ２／Ｌとなる。正転時の針圧を適正値に設定した場合には逆転時の針圧は−（ＦＦ＋ＦＲ）ｌ２／Ｌだけ減少することになる。このため逆転時の針圧が減少し、針飛びが発生し易くなることが解る。
【００３８】
図８は実施態様をさらに詳細に説明する図である。図８の（Ａ）は側面図、（Ｂ）はその模式図、（Ｃ）はアーム軸６をカートリッジ側から見た正面図である。この実施態様はアーム軸６の回転軸芯Ｐｖ側の延長部に重り７Ａを設けたものである。ここに回転軸芯Ｐｖは前記図６で示した実施態様と同様に針先１０よりも１１だけ高い位置に配設する。また重り７Ａはこの回転軸芯Ｐｖよりも下方に偏位している。この実施態様では重り７Ａを針先１０と同一高さに設定している。
【００３９】
このような配置により、図８（Ｂ）に示すような天秤状（やじろべえ状）にバランスさせることが可能になる。すなわち針先１０に加わる針圧ｆと重り７Ａは共に回転軸芯Ｐｖより低いからである。この場合に針先１０にインサイドフォースｆｉやアウトサイドフォースｆ０が図８（Ｃ）に示すように作用すれば、これらの力ｆｉ、ｆ０はアーム軸６を捩る方向に加わることになる。しかし重り７Ａがあるためにこのようなアーム軸６の捩り方向の振動が抑制される。このため図３で説明した内側分力や外側分力による捩れが抑制され、針飛びが防止され得る。すなわち前記図３〜５に示した実施態様や図６に示した実施態様にこの図８に示す実施態様を組合せることにより、針飛びを一層確実に防ぐことが可能になる。
【００４０】
【発明の効果】
本発明では、レコードプレーヤを用いてＤＪの演奏形態のスクラッチパフオーマンスによりレコード板を正回転あるいは逆回転に回転方向を頻繁に激しく変化させても、レコードプレーヤ自体が予め針飛びの現象を抑制する構造に配慮されているので、従来のように熟練度を要しない初心者でも満足のいくＤＪ演奏を達成できる。このためＤＪの演奏人口の拡大を果たすことができる。
【図面の簡単な説明】
【図１】  従来のＨｉＦｉオーディオ用レコードプレーヤを用いたＤＪ演奏の実施状態を示す動作説明図
【図２】従来のレコードプレーヤの動作説明図
【図３】本発明の実施態様のレコードプレーヤを示す構成説明図
【図４】この実施態様におけるターンテーブルとトーンアームとの配置説明図
【図５】本発明の他の実施態様を示す概念構成図
【図６】実施態様を説明する図
【図７】比較例を示す図
【図８】実施態様を説明する図
【符号の説明】
１  レコードプレーヤ
２  ターンテーブル
３  レコード板
４  回転軸芯
５  トーンアーム
６  アーム軸
７  針圧調節器
７Ａ  重り
８  枢支部
９  カートリッジ
１０  針または針先
Ｃ  ターンテーブルの回転軸芯
Ｐ  支点（アーム軸の水平方向の回動を可能にする回転軸芯）
Ｐｖ  アーム軸の上下方向の回動を可能にする回転軸芯
【図１】
0004019392.tif 000002
【図２】
0004019392.tif 000003
【図３】
0004019392.tif 000004
【図４】
0004019392.tif 000005
【図５】
0004019392.tif 000006
【図６】
0004019392.tif 000007
【図７】
0004019392.tif 000008
【図８】
0004019392.tif 000009